(57)【特許請求の範囲】
【請求項１】
それぞれ突出する方向に付勢された複数の押圧部材で、載置台に載置した被検レンズを載置台の方向に押圧するレンズ押圧手段と、印点ペンを前記被検レンズの押圧面に直交する方向に、前記レンズ押圧手段に回動可能に支持された印点手段と、被検レンズを押圧する位置とその上方の離間した退避位置との間で、前記レンズ押圧手段を昇降可能に保持する昇降ガイド手段と、前記レンズ押圧手段を前記退避位置で保持する保持手段とを備え、前記保持手段が、前記レンズ押圧手段を連結および解除する連結手段と、前記連結手段を上昇方向に付勢する付勢部材と、前記付勢部材による前記連結手段の上昇を規制する規制手段と、からなり、前記レンズ押圧手段を前記昇降ガイド手段の昇降方向で、かつ、前記連結手段に近接する方向に移動することにより、前記レンズ押圧手段と前記連結手段との連結および解除が交互に行われるよう構成したことを特徴とするレンズメータ。
【請求項２】
前記連結手段が、前記昇降ガイド手段の前記レンズ押圧手段を保持した位置より押圧方向の上流側の位置に摺動可能に保持されていることを特徴とする請求項１記載のレンズメータ。
【発明の詳細な説明】
【技術分野】
【０００１】
本発明は、被検レンズの光学特性を測定するレンズメータに関し、さらには、操作性を向上したレンズメータに関する。
【背景技術】
【０００２】
レンズメータは、眼鏡フレーム用に加工する前の単玉レンズや眼鏡フレームに装着された眼鏡レンズなどの被検レンズに、光源部から測定光を投光し、これらの被検レンズを介してマスクパターンの像を受光部で受光することにより、被検レンズの光学中心位置や球面屈折力、円柱屈折力などの光学特性を測定するものである。
【０００３】
このようなレンズメータには、レンズ載置台周辺に、被検レンズをレンズ載置台上で移動可能な状態で保持するレンズ押圧手段や、測定結果に基づいて被検レンズにその光学中心位置や乱視の軸方向を示す印点を施すための印点手段の他に、眼鏡レンズの瞳孔間距離の測定などに必要な計測手段や眼鏡フレームの位置決め手段などが設けられていた。
【０００４】
このようなレンズメータで、被検レンズを測定する場合、検者はレンズ載置台に被検レンズを載置し、マスクパターンの像をモニター等で確認しながら、被検レンズを移動して、被検レンズの光学中心位置などを求めていた。また、測定後は、印点手段を操作し、被検レンズの２次加工に必要な光学中心位置などに印点を施していた。
【０００５】
具体的には、被検レンズが単玉レンズの場合は、レンズ押圧手段で被検レンズをレンズ載置台に押圧保持した状態で測定していた。眼鏡レンズを測定する場合は、眼鏡フレームがレンズ押圧手段に干渉する場合があり、一方瞳孔間距離の測定も行うことから、眼鏡フレームの鼻当てを位置決め部材に載置した状態で、レンズ載置台に眼鏡レンズを載置して測定を行っていた。また、印点操作は、測定後に被検レンズをそれぞれ保持した状態で、印点手段を印点位置に移動して印点を行っていた。
【０００６】
このように、レンズメータにおいては、レンズ載置台の周辺に設けられたレンズ押圧手段や印点手段や位置決め手段などが、測定する被検レンズによっては測定の支障になることから、非使用時はレンズ載置台から離れた位置に退避させていた。
【０００７】
レンズ押圧手段と印点手段を、退避させた位置から操作時に必要な位置に移動させる方法としては、例えばそれぞれ別々に移動させるよう構成したものや、一体で移動させるよう構成したものが開示されている（例えば、特許文献１、２）。
【０００８】
特許文献１の技術では、レンズ押圧手段と印点手段は、本体部に設けられた２つの上下昇降手段にそれぞれ支持され、非使用時は被検レンズの上方の退避した位置に保持され、使用時は測定光の光軸と平行に降下するよう構成されている。
レンズ押圧手段は、退避位置では本体部に係止されていて、係止が解除されると自重で降下するよう構成されている。印点手段は、退避位置でばねにより上方に付勢されていて、検者の操作により、ばねの付勢力に抗して降下されるよう構成されている。
【０００９】
特許文献２の技術では、レンズ押圧手段は、特許文献１と同様の構成で、本体部に設けられた昇降手段に支持されているが、印点手段はレンズ押圧手段に一体的に組み込まれていて、レンズ押圧手段とともに昇降するよう構成されている。このとき、印点手段は測定の支障になることから、レンズ押圧手段に設けられた移動手段により退避位置から印点位置に移動されるよう構成されている。この移動の方法として開示されている構成は、印点手段を斜め下方向にモータ等の駆動手段で移動するものである。
【先行技術文献】
【特許文献】
【００１０】
【特許文献１】特開２００７−２５６０７９号公報
【特許文献２】特開平１１−２１８４６８号公報
【発明の概要】
【発明が解決しようとする課題】
【００１１】
しかしながら、特許文献１の技術は、レンズ押圧手段と印点手段の昇降操作をそれぞれ別に昇降手段を設けているため、構成する部品の数が多く、また、レンズ載置台周辺に設けられた前述した他の機能を行う手段との干渉を避けるために構造も複雑となり、装置価格が高くなっていた。また、眼鏡レンズの測定においては、レンズ押圧手段と眼鏡レンズの枠が干渉するため、被検レンズを押圧しないで測定する場合があるが、印点操作で眼鏡がずれる問題も生じていた。この問題を防ぐために、印点を行う前にレンズ押圧手段を降下させることも可能であるが、眼鏡フレームを手で支えた状態でそれぞれの操作を行うことが必要であった。
【００１２】
また、特許文献２の技術は、レンズ押圧手段に印点手段を設けることで、昇降手段を共通にすることが可能になるが、レンズ押圧手段に別の移動手段や移動のための駆動手段を設けることが必要となり、レンズ押圧手段が重くなり、被検レンズを移動可能に押圧する押圧力の調整が難しくなっていた。
【課題を解決するための手段】
【００１３】
上記課題を解決する本発明は、レンズ押圧手段と印点手段を一体的に設け、それぞれを退避位置から操作位置に移動する手段を共有するとともに、それぞれの操作性を向上し、さらに印点操作時の被検レンズのずれを防ぐことが可能なレンズメータを提供することを目的とする。
【００１４】
具体的な構成として、第１の発明によるレンズメータは、それぞれ突出する方向に付勢された複数の押圧部材で、載置台に載置した被検レンズを載置台の方向に押圧するレンズ押圧手段と、印点ペンを前記被検レンズの押圧面に直交する方向に、前記レンズ押圧手段に回動可能に支持された印点手段と、被検レンズを押圧する位置とその上方の離間した退避位置との間で、前記レンズ押圧手段を昇降可能に保持する昇降ガイド手段と、前記レンズ押圧手段を前記退避位置で保持する保持手段とを備え、前記保持手段が、前記レンズ押圧手段を連結および解除する連結手段と、前記連結手段を上昇方向に付勢する付勢部材と、前記付勢部材による前記連結手段の上昇を規制する規制手段と、からなり、前記レンズ押圧手段を前記昇降ガイド手段の昇降方向で、かつ、前記連結手段に近接する方向に移動することにより、前記レンズ押圧手段と前記連結手段との連結および解除が交互に行われるよう構成したことを特徴とする。
【００１５】
また、第２の発明によるレンズメータは、前記連結手段が、前記昇降ガイド手段の前記レンズ押圧手段を保持した位置より押圧方向の上流側の位置に摺動可能に保持されていることを特徴とする。
【発明の効果】
【００１６】
本発明のレンズメータによれば、レンズ押圧手段に印点手段を一体的に構成することにより、単一の昇降ガイド手段での昇降が可能となり、安価な装置を提供することができる。またレンズ押圧手段は、上方の退避位置では上方に付勢された連結手段に連結されて保持され、この連結を解除すると降下できるようになり、また印点手段は、上方の退避位置から押下すると、連結手段が連結された状態で降下でき、簡単な操作で被検レンズの押圧および印点操作を行うことができる。さらに印点操作においては、レンズ押圧手段に対して回動可能に支持しているため、印点手段の押下操作で印点ペンが被検レンズに対峙した方向に回動し、さらに押下するとレンズ押圧手段がともに降下して、印点ペンより先に押圧ピンが被検レンズに接触し、被検レンズを押圧した状態で印点をおこなうことができる。
【００１７】
また、本発明のレンズメータによれば、印点手段の昇降操作で昇降する連結手段を、レンズ押圧手段と同じ昇降ガイド手段に摺動可能に保持することにより、レンズ押圧手段との連結位置あわせが容易となり、連結と分離を確実に行うことができる。
【図面の簡単な説明】
【００１８】
【図１】第１の実施形態によるレンズメータの正面斜視図で、操作前の状態
【図２】図１の状態で、本体内部から見た斜視図
【図３】図２の状態からレンズ押圧手段を降下した図
【図４】図２の状態から印点手段を降下した図
【図５】第２の実施形態によるレンズメータで、レンズ押圧手段を降下した図
【図６】第２の実施形態によるレンズメータで、印点手段を降下した状態
【発明を実施するための最良の形態】
【００１９】
次に、本発明の実施形態を図面に基づき説明する。
図１において、レンズメータの本体部１は、上部の突出部に測定光２を投光する光源部３が、下部の突出部に測定光２を受光する受光部４がそれぞれ対峙するよう設けられ、測定光２の光軸上の所定の位置に、被検レンズ５（想像線で示す）を載置するレンズ載置台６が設けられている。
【００２０】
１０は、被検レンズ５をレンズ載置台６に押圧するレンズ押圧部で、測定光２の光軸と平行な方向に昇降可能に本体１に設けられている。
レンズ押圧部１０の押圧基台１１の下面には、４本の押圧ピン１２が下向きに設けられている。押圧ピン１２は内部に組み込まれた図示しないばねにより突出するよう付勢されていて、レンズ押圧部１０が降下したとき、被検レンズ５の上面の形状に沿って伸縮し、被検レンズ５をレンズ載置台６に押圧する。なお、押圧ピン１２は、被検レンズ５を安定して保持するものであれば、３本でもよく、またそれ以上であってもよい。
また、押圧基台１１には、昇降操作の時に把持する昇降把持部１１ａと、後述する印点ペンが通る孔部１０ｂが設けられ、押圧基台１１は本体１の開口部１ａを貫通して突出した支持アーム７に着脱可能に保持されている。
【００２１】
２０は、測定結果に基づいて被検レンズ５に印点を施す印点部で、印点基台２１は押圧基台１１の測定光２の光軸と直交する方向に伸延する支軸１３によって回動可能に支持されている。印点基台２１には、３本の印点ペン２２が支軸１３と平行な方向に配列されていて、中央の印点ペン２２ｂは被検レンズ５の光学中心位置に、その両側の２本の印点ペン２２ａ、２２ｃは、円柱屈折力の方向を示す位置にそれぞれ印点を施すものである。
印点ペン２２は、印点時に被検レンズ５の曲面に沿うよう、それぞれ突出する方向に図示しないばねにより付勢されている。
また、印点部２０は、測定光２の光軸中心に印点を施す印点ペン２２ｂが測定の支障をきたすため、印点を行なわない時は、図示しないねじりコイルばねによって、図１に示す状態に退避していて、印点押さえ部２１ａを矢印Ａ方向に回動操作すると、印点基台２１は押圧基台１１と平行になるまで回動する。このとき、印点ペン２２は孔部１１ｂを通って押圧基台１１から突出し、測定光２の光軸と平行で押圧ピン１２の先端よりわずかに後退した位置になるよう構成されている。
【００２２】
次に、レンズ押圧部１０と印点部２０の昇降機構部３０を説明する。
図２から図４は、本体１の内部から昇降機構部３０を見た図である。図２は、測定前のレンズ押圧部１０が退避位置にある状態を表し、図３は、測定時においてレンズ押圧部１０を降下して、被検レンズ５を押圧した状態を表している。図４は、初期状態から印点部２０を押下して印点を施す状態を表している。
【００２３】
図２において、３１と３２は一対の昇降ガイド手段で、摺動体３１と摺動体３１を摺動案内する摺動ガイドレール３２からなり、摺動体３１には、レンズ押圧部１０を保持する支持アーム７が固定されていて、摺動ガイドレール３２は、支持アーム７に保持されたレンズ押圧部２０を測定光２の光軸に平行に、退避位置から被検レンズ５を押圧する位置まで摺動案内するよう本体１に固定されている。
摺動体３１と摺動ガイドレール３２は、例えば日本精工株式会社のＮＳＫリニアガイド（商品名）のように軽負荷で摺動可能な構成で、本実施例のように摺動体３１を上下方向に案内するよう摺動ガイドレール３２を設けることで、レンズ押圧部１０は自重により被検レンズ５を押圧することができる。
３３は、摺動体３１を連結および分離する連結部材で、一端が本体１に固定された上昇ばね３４によって吊り下げられている。３５は、連結部材３３を緩挿し、連結部材３３の上方向への位置規制と摺動体３１との同軸度を規制する規制部材で、連結部材３３が摺動体３１の摺動方向の延長上に位置するよう設けられている。上昇ばね３４は、連結部材３３と摺動体３１が結合した状態、すなわちレンズ押圧部１０と印点部２０をも含めた重量を、規制部材３５で規制される位置で保持できる付勢力を有したものである。
【００２４】
ここで、摺動体３１と連結部材３３との連結および分離の構造としては、摺動体３１の連結部材３３側の面に設けられた凸部３１ａ（図３を参照）が連結部材３３の凹部に緩挿されると、凹凸が契合して抜脱できなくなり、連結された状態で再び摺動体３１を挿入する方向に移動すると、契合が解除され摺動体３１と連結部材３３は分離可能となるもので、例えば株式会社栃木屋のミニラッチ（商品名）や株式会社ニフコのプッシュラッチ（商品名）によって開示されている。
【００２５】
次に、本実施例の形態によるレンズメータの動作について、説明する。
図２のレンズ押圧部１０が退避した状態にあるとき、摺動体３１と連結部材３３は連結されていて、連結部材３３を介して上昇ばね３４により上方に付勢され、さらに規制部材３５でその位置が保持されている。
レンズ載置台６に被検レンズ５を載置し、レンズ押圧部１０の昇降把持部１１ａを持ち上げると、摺動体３１が上昇して連結部材３３との連結が解除され、昇降把持部１１ａの持ち上げを中止すると、レンズ押圧部１０は自重によって降下する（図１参照）。
【００２６】
レンズ押圧部１０の降下により、レンズ載置台６に載置された被検レンズ５は、押圧ピン１２により押圧が行われる。４本の押圧ピン１２は被検レンズ５に接すると、その曲面に沿ってそれぞれ短縮し、レンズ押圧部１０は自重などの下方向の力と釣り合った状態で静止し、被検レンズ５を押圧する。次に被検レンズ５の測定を行うが、この測定については、すでに多くの特許公開公報や文献に開示された方法を用いることが可能であり、説明は省略する。
【００２７】
次に、測定が終了した後、印点を施す動作について説明する。レンズ押圧部１０が降下した状態で、退避位置にある印点部２０の印点押さえ部２１ａを矢印Ａ方向に押すと、印点基台２１は回動支軸１３を中心として回動し、印点ペン２２の向きが測定光２と平行になる位置で押圧基台１１に規制され、回動は停止される。なお、この状態では、印点ペン２２の先端は被検レンズ５の上面から僅かに離れた位置に設定されているため、印点が施されることはない。
この状態から、さらに印点押さえ部２１ａを下方に押すと、押圧ピン９が縮小しながらレンズ押圧部１０全体が降下し、印点ペン２２が被検レンズ５に接触して印点を施すことができる。
印点が終了後、印点押さえ部２１ａを開放すると、印点部２０は図示しない復帰ばねによりＡ方向と反対方向に回動し、印点ペン２２が測定光２の光束から退避した状態の退避位置に保持される。
【００２８】
被検レンズ５の測定および印点が終了後、レンズ押圧部１０の昇降把持部１１ａを上方に持ち上げると、摺動体３１が昇降ガイドレール３２に沿って上昇し、爪部３１ａが連結部材３３の凹部に緩挿されて連結される。摺動体３１と連結部材３３が連結されると、レンズ押圧部１０は上方の退避位置で保持され、初期の状態となる。
【００２９】
次に、眼鏡フレームに装着されたレンズで、特に累進レンズの近用部の測定を行う場合について説明する。通常、累進レンズの近用部は眼鏡フレームの近くに位置するため、レンズ押圧手段１０を降下すると押圧ピンが眼鏡フレームに干渉して測定に支障を与える場合がある。このような場合はレンズ押圧部１０を降下しないで、手で眼鏡フレームを支えた状態で測定することになる。
このようにして測定した状態で印点を行う場合、上方の退避位置にある印点部２０の印点押さえ部２１ａをＡ方向に押し下げると、印点部８は回動して印点ペン２２が測定光２の光軸と平行になり、さらに押し下げると、レンズ押圧部１０とともに降下する。この時、摺動体３１と連結部材３３は結合した状態であり、連結部材３３は規制部材３５から抜脱され、上昇ばね３４により吊り下げられた状態で摺動体３１と一体で降下する。
さらに印点押さえ部２１ａを押し下げ続けると、最初にレンズ押圧部１０の押圧ピン１２が被検レンズ５に接触し、押圧ピン１２が短縮しながら次に印点ペン１１が接触して印点を施すことができる（図４）。
印点後、印点押さえ部２１ｂの押し下げ力を弱めると、レンズ押圧部１０は上昇し、連結部材３３は、再び規制部材３５に挿入され、初期の状態に戻る。
【００３０】
以上の実施例では、摺動体３１と連結部材３３の連結を容易にすることと、連結部材３３の上方向への規制のための規制部材３５を設けたが、図５に示すように連結部材３３を摺動体３１の位置より上側に、摺動ガイドレール３２に摺動可能に設けることにより、連結部材３４と摺動体３１との位置規制が容易になり、連結と解除をさらに確実に行うことができる。この場合、連結部材３３の上方向の移動を規制する規制部材３５の変わりに摺動ガイドレール３２にストッパー３６を設けることも可能であり、さらに構造を簡素化することができる。
この構造において、図５はレンズ押圧部１０を降下した状態を示し、図６は印点部２０を降下した状態を示す。
【００３１】
また、以上の実施例では、３本の印点ペン２１の先端位置は、同一面上に設定しているが、これに限らず被検レンズ５の曲率を勘案して両側の印点ペン２１ａ、２１ｃを中央の印点ペン２１ｂより僅かに突出した位置に設定してもよい。
【００３２】
本発明の実施例および実施例の説明に用いた図においては、本発明に係る範囲のみを記載し、本発明に係らないレンズメータとして通常備えている機能および構造については、省略したが、本発明に影響を与えない範囲で、これらの機能および構造を設けることは容易なことである。
【産業上の利用可能性】
【００３３】
以上のような、レンズ押圧部と印点部を一体的に構成したレンズメータによれば、摺動案内手段が簡素化でき、装置の低価格化が実現できる。さらに操作においては、測定時はレンズ押圧部を降下して被検レンズを測定し、測定後印点部を押し下げることで印点ができる。さらにレンズ押圧部を降下しないで測定した後においても、印点時には同時に降下したレンズ押圧部によって、被検レンズが押圧され被検レンズを押圧保持した状態で印点することができ、操作性の優れたレンズメータに有用である。
【符号の説明】
【００３４】
１    本体
５    被検レンズ
６    レンズ載置台
１０    レンズ押圧部
１２    押圧ピン
２０    印点部
２２    印点ペン
３０    昇降機構部
３１    摺動体
３２    昇降ガイドレール
３３    連結部材
３５    規制部材
【図２】
0005955103.tif 000002
【図１】
0005955103.tif 000003
【図３】
0005955103.tif 000004
【図４】
0005955103.tif 000005
【図５】
0005955103.tif 000006
【図６】
0005955103.tif 000007